(57)【要約】      （修正有）【課題】多数の縦杆と横杆を格子状に配置することにより多数の目孔を構成したパネルに対してプランタボックス等の取付物品を取付支持せしめる取付具を提供する。【解決手段】取付具８は、弾性を有する線材により一体に形成されており、胴部９と、フック状の頭部１０と、折曲部１１と、脚部１２とを備えている。前記脚部１２は、胴部９を上側横杆３ａと第１横杆３ｂの前面に添接した状態で下方移動したとき、第２横杆３ｃと下側横杆３ｄの間で該脚部１２を弾性変形せしめることにより、第２横杆３ｃの後面に圧接される上側圧接部と、下側横杆３ｄの前面に圧接される下側圧接部とを形成するように構成されている。【選択図】図３
2005095462.tif 000002
【特許請求の範囲】
【請求項１】
多数の縦杆と横杆を格子状に配置することにより多数の目孔を構成したパネルに対してプランタボックス等の取付物品を取付支持せしめる取付具であり、
取付具(8)は、弾性を有する線材により一体に形成され、
パネルの上下方向に配置された上側横杆(3a)と該上側横杆の下方に位置する第１横杆(3b)の前方に位置して縦方向に延びる胴部(9)と、
前記胴部の上端に設けられると共に、該胴部を下方移動したとき上側横杆(3a)を抱持嵌着するフック状の頭部(10)と、
前記胴部の下端に設けられると共に、第１横杆(3b)と該第１横杆の下方に隣接する第２横杆(3c)との間の目孔を介してパネルの前方から後方に向けて延びる折曲部(11)と、
前記折曲部から下方に延長されると共に、第２横杆(3c)と該第２横杆の下方に隣接する下側横杆(3d)との間の目孔を介してパネルの後方から前方に向けて延びる脚部(12)とを備えており、
前記脚部(12)は、胴部(9)を上側横杆(3a)と第１横杆(3b)の前面に添接した状態で下方移動したとき、第２横杆(3c)と下側横杆(3d)の間で該脚部(12)を弾性変形せしめることにより、第２横杆(3c)の後面に圧接される上側圧接部(12a)と、下側横杆(3d)の前面に圧接される下側圧接部(12b)とを形成して成ることを特徴とする格子状パネルに対する物品の取付具。
【請求項２】
第１横杆(3b)と第２横杆(3c)の間の目孔を介して取付具(8)の脚部(12)及び折曲部(11)をパネルの前方から後方に向けて遊挿せしめた状態で、下側横杆(3d)の周面を回動自在に抱持する位置決め手段(13)を脚部(12)の下端部に形成して成ることを特徴とする請求項１に記載の格子状パネルに対する物品の取付具。
【請求項３】
前記折曲部(11)は、前記位置決め手段(13)により下側横杆(3d)を抱持せしめた位置決め状態で、胴部(9)の上端部を上側横杆(3a)の前方に離間せしめるように該胴部(9)と脚部(12)の間の角度(θ)を定める一方、該折曲部(11)の弾性変形を介して前記角度(θ)を狭めることにより胴部(9)の上端部を上側横杆(3a)の前面に添接可能とする弾性ヒンジ部(11a)を構成して成ることを特徴とする請求項２に記載の格子状パネルに対する物品の取付具。
【発明の詳細な説明】
【技術分野】
【０００１】
本発明は、格子状パネルに対する物品の取付具に関し、特に、多数の縦杆と横杆を格子状に配置することにより多数の目孔を構成したパネルに対してプランタボックス等の取付物品を取付支持せしめるための取付具に関する。
【背景技術】
【０００２】
近年、ヒートアイランド現象等の対策から、野外、屋外における種々の場所での緑化が推奨されている。このような要望に応えるため、本発明者においては、多種多様の植樹安定装置を提供し、建造物の地上及び屋上における樹木の植樹による緑化事業のために貢献している。
【０００３】
ところで、昨今、緑化の要望は、樹木を植樹することが困難な場所、例えば、建造物の外壁面や、立体駐車場その他の駐車場の外部空間や、ビルの屋上駐車場、屋外の螺旋階段の外部空間等にも及んでいる。そこで、このような場合、所定の壁面に沿わせてツル科植物を繁殖させることにより、緑化の目的を達することができ、しかも、これが外部空間のオブジェとしての役割を果たすことができる。
【０００４】
このため、本発明者は、建造物その他の構築物の壁部又は柱部から成る構造物に沿わせてツル科植物育成用のパネルを列設することにより育成用壁面を形成すれば、ツタが該パネルに容易に沿わせられるので、ツル科植物を好適に成長せしめ、比較的短期の繁殖に資することができることを知見し、特願２００３−２００９９７号、特願２００３−２００９９８号、特願２００３−２００９９９号として提案した。
【０００５】
然しながら、緑化用の育成用壁面を広く普及せしめるためには、緑化に加えて、該壁面に種々の花々を同時に植設できるようにすることが望ましく、このため、本発明者は、育成用壁面を構成するパネルに対してプランタボックスを取付支持するための取付具を鋭意研究し開発した。
【０００６】
育成用壁面を構成するパネルは、多数の縦杆と横杆を格子状に配置することにより多数の目孔を有しているので、単にプランタボックス等の取付物品を吊下状に取付けるだけであれば、下記の特許文献に示されるようなブラケット金具やフック金具を使用すれば足りる。
【特許文献１】実開平７−２８４８６号公報
【特許文献２】特開２００３−７０６０５号公報
【発明の開示】
【発明が解決しようとする課題】
【０００７】
格子状のパネルにより構築される緑化用の育成用壁面は、フェンス状のものとして相当に背が高く、しかも、相当に長く続く広面積の壁面を構成するものであるから、風雨の影響を直接に受ける。特に、上述のような立体駐車場の外部空間や、ビルの屋上駐車場や、屋外の螺旋階段等に構築された育成用壁面においては、極めて強い風圧を受けることが予想される。
【０００８】
このため、通常のブラケット金具やフック金具のような取付具によりプランタボックスを取付支持する場合は、強風により該ボックスが落下する虞れがあり、高所からの落下による人身事故を起こす危険がある。
【０００９】
従って、本発明が目的とする取付具は、相当の重量を有するプランタボックスを確実に支持できることは勿論、強風等を受けてパネルやプランタボックス等が揺動又は振動するような場合でも、パネルから外れることがなく、また、パネル上をズレ動くようなことがなく、堅固な取付支持を保証することが求められる。
【００１０】
そして、取付具の取付けに際しては、育成用壁面にツル科植物が群生せしめられている関係上、作業中にツルを切断するようなものであってはならず、しかも、高所等における取付作業を簡単容易に行い得るものでなければならないから、ボルト・ナット等を使用することは適切でなく、パネルの狭い空間に対して、ワンタッチで簡単容易に取付可能とすることが要求される。
【課題を解決するための手段】
【００１１】
本発明は、上述のような課題を解決した格子状パネルに対する物品の取付具を提供するものであり、その手段として構成したところは、多数の縦杆と横杆を格子状に配置することにより多数の目孔を構成したパネルに対してプランタボックス等の取付物品を取付支持せしめる取付具であり、取付具は、弾性を有する線材により一体に形成され、
パネルの上下方向に配置された上側横杆と該上側横杆の下方に位置する第１横杆の前方に位置して縦方向に延びる胴部と、前記胴部の上端に設けられると共に、該胴部を下方移動したとき上側横杆を抱持嵌着するフック状の頭部と、前記胴部の下端に設けられると共に、第１横杆と該第１横杆の下方に隣接する第２横杆との間の目孔を介してパネルの前方から後方に向けて延びる折曲部と、前記折曲部から下方に延長されると共に、第２横杆と該第２横杆の下方に隣接する下側横杆との間の目孔を介してパネルの後方から前方に向けて延びる脚部とを備えており、前記脚部は、胴部を上側横杆と第１横杆の前面に添接した状態で下方移動したとき、第２横杆と下側横杆の間で該脚部を弾性変形せしめることにより、第２横杆の後面に圧接される上側圧接部と、下側横杆の前面に圧接される下側圧接部とを形成して成る点にある。
【００１２】
脚部の下端部には位置決め手段を形成することが好ましく、該位置決め手段は、第１横杆と第２横杆の間の目孔を介して取付具の脚部及び折曲部をパネルの前方から後方に向けて遊挿せしめた状態で、下側横杆の周面を回動自在に抱持する。
【００１３】
前記折曲部は弾性ヒンジ手段を構成することが好ましく、該弾性ヒンジ手段は、前記位置決め手段により下側横杆を抱持せしめた位置決め状態で、胴部の上端部を上側横杆の前方に離間せしめるように該胴部と脚部の間の角度θを定める一方、該弾性ヒンジ手段の弾性変形を介して前記角度θを狭めることにより胴部の上端部を上側横杆の前面に添接可能とする。
【発明の効果】
【００１４】
請求項１に記載の本発明によれば、線材により一体に形成された取付具をパネルの選ばれた横杆と目孔に対して挿入し、下方移動するというワンタッチ動作により、取付具をパネルに取付けることができるので、取付作業が簡単容易であり、しかも、狭い空間部分だけで取付けを可能にするものであるから、パネルにツル科植物が群生しているような場合でも、ツルを切断するような危険はない。
【００１５】
特に、胴部を下方移動することにより、フック状の頭部が上側横杆を抱持嵌着する構成であるから、取付具が下方に落下することを確実に防止し、就中、該取付動作により胴部を下方移動した際に、脚部が第２横杆と下側横杆の間で弾性変形され、上側圧接部を第２横杆の後面に対して圧接し、下側圧接部を下側横杆の前面に対して圧接するものであるから、取付具を上下方向に対して動かないように固定することができる。従って、これにより取付具の上方移動を阻止できるので、頭部が上側横杆から離脱する虞れはない。しかも、上側圧接部と下側圧接部による脚部の圧接は、強力な摩擦抵抗として働くので、取付具が横杆に沿って横方向にズレ動くことを確実に防止する。
【００１６】
そして、請求項２に記載の本発明によれば、取付具の取付けに際して、取付具の脚部及び折曲部を第１横杆と第２横杆の間の目孔を介してパネルの前方から後方に向けて遊挿せしめたとき、位置決め手段により下側横杆の周面を回動自在に抱持する構成であるから、取付作業の初期段階における取付具の位置決めが容易であり、この位置決め状態から取付具を下方移動することにより、上述したような頭部と脚部による取付状態を得ることができるので、取付作業が簡単容易である。
【００１７】
更に、請求項３に記載の本発明によれば、位置決め手段により下側横杆を抱持せしめた位置決め状態で、折曲部が胴部の上端部を上側横杆の前方に離間せしめるように該胴部と脚部の間の角度θを定める弾性ヒンジ手段を構成し、該弾性ヒンジ手段の弾性変形を介して前記角度θを狭めることにより胴部の上端部を上側横杆の前面に添接可能とした構成であるから、胴部の頭部により上側横杆を抱持嵌着せしめた状態で、弾性ヒンジ手段の復元力により、頭部は上側横杆の後面に圧接されている。従って、これにより取付具の上方移動と横ズレ移動を防止することができる。
【発明を実施するための最良の形態】
【００１８】
以下図面に基づいて本発明の好ましい実施形態を詳述する。
【００１９】
図１に示すように、格子状のパネル１は、多数の縦杆２と横杆３を格子状に配置することにより多数の目孔４を形成しており、上述したようなツル科植物の育成用壁面５を構成している。従って、図示省略した下方の育成床から伸びたツル科植物６が該壁面５に沿って上方へと成長し、該壁面５の全面を葉で被うことになる。尚、育成用壁面５は、適宜、複数枚のパネル１を連結しながら展開することにより形成される。
【００２０】
パネル１の適所には、後述する取付具を介してプランタボックス７が取付支持せしめられ、所望の植物（好ましくは草花）を植設している。プランタボックス７の内部に充填される苗床は、通常の土壌であっても良いが、軽量化のために、好ましくは、土壌改良剤を含む人工土壌、更に好ましくは、天然繊維（例えば椰子繊維）をニードリング加工によりマット化した床ブロックが使用される。従って、プランタボックス７は、公知の合成樹脂製の箱型のものでも良いが、床ブロックを使用する場合は、線材等により形成された籠型のものでも良い。
【００２１】
プランタボックス７の背面には、図２に示すような取付具８が設けられている。取付具８は、プランタボックス７の背部に取外し不能に固着しても良いが、着脱可能に固着しても良い。プランタボックス７は、好ましくは、左右に間隔をあけて複数の取付具８、８を配設しており、複数の取付具８、８は、相互に高さ位置を一致せしめられている。
【００２２】
図３に示すように、取付具８は、弾性を有する線材により一体に形成されており、パネル１の上下方向に配置された上側横杆３ａと該上側横杆の下方に位置する第１横杆３ｂの前方に位置して縦方向に延びる胴部９と、前記胴部９の上端に設けられると共に、該胴部を下方移動したとき上側横杆３ａを抱持嵌着するフック状の頭部１０と、前記胴部９の下端に設けられると共に、第１横杆３ｂと該第１横杆の下方に隣接する第２横杆３ｃとの間の目孔を介してパネル１の前方から後方に向けて延びる折曲部１１と、前記折曲部１１から下方に延長されると共に、第２横杆３ｃと該第２横杆の下方に隣接する下側横杆３ｄとの間の目孔を介してパネル１の後方から前方に向けて延びる脚部１２と、脚部１２の下端部に位置して弧状に折曲形成された位置決め手段１３とを備えている。
【００２３】
図例の場合、上側横杆３ａと第１横杆３ｂは、中間に１本の横杆３ｓを介して隔てた２ピッチに相当するものを示しているが、これに限定されるものではない。また、第１横杆３ｂ、第２横杆３ｃ、下側横杆３ｄは、それぞれ相互に隣接する１ピッチに相当するものを示しているが、これに限定されるものではない。要するに、これらの横杆は、後述するような取付具８の取付作用を果たすものであれば良く、取付具８の大きさ寸法に応じて、パネル１に配置された多数の横杆から選択される。更に、図３は、縦杆２に対して複数の横杆３が交互に前面と後面に現れるものを示しているが、全ての横杆３を縦杆２の前面又は後面の同一面上に現れるように構成しても良く、その配置形態は問わない。
【００２４】
パネル１に対する取付具８の取付け方法を図４及び図５に示している。
【００２５】
取付具８は、図４（Ａ）に示すように、折曲部１１により、胴部９の軸線と脚部１２の軸線が角度θで偏位するように折曲形成されている。折曲部１１は、角度θを変更可能とするように弾性変形自在であり、弾性ヒンジ部１１ａを構成する。また、フック状の頭部１０は、逆Ｕ形に折曲された先端部が内側に膨出する抜止部１０ａを形成している。更に、脚部１２の下端部における位置決め手段１３は、やや下向きに開口する円弧状に折曲形成されている。
【００２６】
取付具８をパネル１に取付けるに際しては、図４（Ｂ）の鎖線で示す状態から実線で示すように、取付具８の脚部１２をパネル１に向けて下向き傾斜せしめた状態から、第１横杆３ｂと第２横杆３ｃの間の目孔を介して、取付具８の脚部１２及び折曲部１１をパネル１の前方から後方に向けて遊挿せしめ、脚部１２の下端部を下側横杆３ｄに近づける。次いで、図４（Ｃ）に示すように、脚部１２を第２横杆３ｃの後面を支点として起立方向に回動せしめることにより、位置決め手段１３により下側横杆３ｄを抱持せしめる。これにより取付具８がパネル１の取付目的個所に位置決めされる。この状態で、折曲部１１は、ほとんど弾性変形されておらず、前述の角度θを維持しているので、胴部９は、上端部をパネル（上側横杆３ａ）の前方に離間するように傾斜した姿勢とされている。
【００２７】
図５（Ａ）の鎖線で示す状態から実線で示すように、前記位置決め状態から、胴部９の上端部を上側横杆３ａに向けて押しつけると、折曲部１１により構成された弾性ヒンジ部１１ａの弾性変形を介して、胴部９が前記角度θを狭めながら傾斜姿勢から起立姿勢へと姿勢変換する。この際、弾性ヒンジ部１１ａの弾性復元力により、脚部１２は第２横杆３ｃの後面に向けて圧接される。
【００２８】
そこで、図５（Ｂ）に示すように、取付具８を押し下げることにより下方移動すると、フック状の頭部１０の弾性変形を介して、抜止部１０ａが上側横杆３ａを乗り越え、頭部１０により上側横杆３ａを抱持嵌着する。同時に、脚部１２は、第２横杆３ｃと下側横杆３ｄの間で弾性変形しながら下方移動せしめられる。図示のように、円弧状に折曲形成された位置決め部１３から脚部１２に向けて滑らかな曲線を描くガイド部１３ａを形成しておくことが好ましく、これにより位置決め部１３が下側横杆３ｄの周面を摺動して下方へ移動する。
【００２９】
頭部１０が上側横杆３ａを抱持嵌着することにより、取付具８はそれ以上の下方移動を阻止され、取付具８の取付けが完了する。図５（Ｃ）に示す取付状態において、脚部１２は、前述の下方移動により第２横杆３ｃと下側横杆３ｄの間で弾性変形され、復元力を蓄積しているので、矢印ｐ１で示すように第２横杆３ｃの後面に圧接される上側圧接部１２ａと、矢印ｐ２で示すように下側横杆３ｄの前面に圧接される下側圧接部１２ｂとを形成している。従って、これにより取付具８の上方移動と、横ズレ移動を好適に阻止する。
【００３０】
また、図５（Ｃ）に示す取付状態において、胴部９は、弾性ヒンジ部１１ａの弾性変形を介して、矢印ｐ３で示すように頭部１０を上側横杆３ａから離反せしめる方向に付勢されているので、頭部１０を上側横杆３ａに圧接せしめ、これにより取付具８の上方移動と、横ズレ移動を好適に阻止する。
【００３１】
上述した取付具８の取付作業は、取付具８の胴部９にプランタボックス７を固着した状態においても、簡単容易に行うことができる。そして、作業手順としては、パネル１に絡まったツル科植物を僅かの空間を形成するように手指で押し退けた状態で、脚部１２と折曲部１１を挿入すると共に位置決め手段１３により位置決めを行い、胴部９を上側横杆３ａに向けて押しつけ、取付具８を下方移動するという動作を一連に行うことにより、ほとんどワンタッチで迅速に取付作業を遂行することができ、ツル科植物を切断するような虞れもない。
【００３２】
更に、このような強固な取付状態でありながら、取付具８を取外す必要がある場合は、上述した手順を逆に行うことにより、取外し作業を容易に行うことができ、取付具８による取付けと取外しを繰返して行うことが可能である。
【００３３】
尚、図示実施形態では、植物育成用壁面としてのパネル１に対する取付具８を説明したが、本発明の取付具８がこれに限定されないことは勿論であり、格子状のパネルに対して取付物品を取付支持せしめるための取付具８として用途に限定されることなく広く利用可能である。
【図面の簡単な説明】
【００３４】
【図１】本発明の１つの適用例としての植物育成用パネルを示す斜視図である。
【図２】取付具をプランタボックスに利用した例を示す斜視図である。
【図３】本発明の取付具の１実施形態を格子状パネルに取付けた状態を示す斜視図である。
【図４】取付具の構成と作用を示しており、（Ａ）は取付具の側面図、（Ｂ）は取付具をパネルに挿入中の状態を示す側面図、（Ｃ）は取付具の位置決め状態を示す側面図である。
【図５】取付具の構成と作用を示しており、（Ａ）は胴部の姿勢変更を示す側面図、（Ｂ）は下方移動中の状態を示す側面図、（Ｃ）取付完了状態を示す側面図である。
【符号の説明】
【００３５】
１    パネル
２    縦杆
３    横杆
３ａ  上側横杆
３ｂ  第１横杆
３ｃ  第２横杆
３ｄ  下側横杆
８    取付具
９    胴部
１０    頭部
１１    折曲部
１１ａ  弾性ヒンジ部
１２ａ  上側圧接部
１２ｂ  下側圧接部
１２    脚部
１３    位置決め手段
【図１】
2005095462.tif 000003
【図２】
2005095462.tif 000004
【図３】
2005095462.tif 000005
【図４】
2005095462.tif 000006
【図５】
2005095462.tif 000007